(57)【要約】【課題】無線通信システムにおいてパケットを処理する方法及び装置を提供する【解決手段】方法は、ＮＡＳメッセージとＲＲＣメッセージを受信する段階と、上記ＮＡＳメッセージ、ＲＲＣメッセージ、ヘッダ、及びＮＡＳメッセージとＲＲＣメッセージの位置情報を示す指示フィールドを結合して、第一連結メッセージを形成する段階と、第一連結メッセージのヘッダ以外の部分に対して暗号化プロセスを実行し、第二連結メッセージを形成する段階と、第二連結メッセージを出力する段階とを含む。【選択図】図３
2008187719.tif 000002
【特許請求の範囲】
【請求項１】
無線通信システムにおいてパケットを処理する方法であって、
ＮＡＳ（ノンアクセスストラタム）メッセージとＲＲＣ（無線資源制御）メッセージを受信する段階と、
上記ＮＡＳメッセージ、ＲＲＣメッセージ、ヘッダ、及びＮＡＳメッセージとＲＲＣメッセージの位置情報を示す指示フィールドを結合して、第一連結メッセージを形成する段階と、
第一連結メッセージのヘッダ以外の部分に対して暗号化プロセスを実行し、第二連結メッセージを形成する段階と、
第二連結メッセージを出力する段階とを含むことを特徴とするパケットの処理方法。
【請求項２】
前記ＮＡＳメッセージは上位層で別途に暗号化されることを特徴とする請求項１記載のパケット処理方法。
【請求項３】
前記ＮＡＳメッセージ、ＲＲＣメッセージ、ヘッダ、及び指示フィールドを結合して第一連結メッセージを形成する段階では、ＲＲＣメッセージをＮＡＳメッセージの前に連結することを特徴とする請求項１記載のパケット処理方法。
【請求項４】
前記指示フィールドは、第一連結メッセージのうちＮＡＳメッセージの開始位置を示すことで、ＮＡＳメッセージとＲＲＣメッセージの位置情報を示すことを特徴とする請求項３記載のパケット処理方法。
【請求項５】
前記指示フィールドは、第一連結メッセージのうちＲＲＣメッセージの終了位置を示すことで、ＮＡＳメッセージとＲＲＣメッセージの位置情報を示すことを特徴とする請求項３記載のパケット処理方法。
【請求項６】
無線通信システムにおいてパケットを正確に処理する通信装置であって、
通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記録する記憶装置とを含み、該プログラムコードは、
ＮＡＳメッセージとＲＲＣメッセージを受信するコードと、
上記ＮＡＳメッセージ、ＲＲＣメッセージ、ヘッダ、及びＮＡＳメッセージとＲＲＣメッセージの位置情報を示す指示フィールドを結合して、第一連結メッセージを形成するコードと、
第一連結メッセージのヘッダ以外の部分に対して暗号化プロセスを実行し、第二連結メッセージを形成するコードと、
第二連結メッセージを出力するコードとを含むことを特徴とする通信装置。
【請求項７】
前記ＮＡＳメッセージは上位層で別途に暗号化されることを特徴とする請求項６記載の通信装置。
【請求項８】
前記ＮＡＳメッセージ、ＲＲＣメッセージ、ヘッダ、及び指示フィールドを結合して第一連結メッセージを形成するコードでは、ＲＲＣメッセージをＮＡＳメッセージの前に連結することを特徴とする請求項６記載の通信装置。
【請求項９】
前記指示フィールドは、第一連結メッセージのうちＮＡＳメッセージの開始位置を示すことで、ＮＡＳメッセージとＲＲＣメッセージの位置情報を示すことを特徴とする請求項８記載の通信装置。
【請求項１０】
前記指示フィールドは、第一連結メッセージのうちＲＲＣメッセージの終了位置を示すことで、ＮＡＳメッセージとＲＲＣメッセージの位置情報を示すことを特徴とする請求項８記載の通信装置。
【請求項１１】
無線通信システムにおいてパケットを処理する方法であって、
ＮＡＳメッセージとＲＲＣメッセージを受信する段階と、
上記ＮＡＳメッセージ、ＲＲＣメッセージ、ヘッダ、ＮＡＳメッセージの位置情報を示す第一指示フィールド、及びＲＲＣメッセージの位置情報を示す第二指示フィールドを結合して、第一連結メッセージを形成する段階と、
第一連結メッセージのうち少なくともＲＲＣメッセージの部分に対して暗号化プロセスを実行し、第二連結メッセージを形成する段階と、
第二連結メッセージを出力する段階とを含むことを特徴とするパケットの処理方法。
【請求項１２】
前記ＮＡＳメッセージは上位層で別途に暗号化されることを特徴とする請求項１１記載のパケット処理方法。
【請求項１３】
前記ＮＡＳメッセージ、ＲＲＣメッセージ、ヘッダ、第一指示フィールド、及び第二指示フィールドを結合して第一連結メッセージを形成する段階では、ＮＡＳメッセージをＲＲＣメッセージの前に連結することを特徴とする請求項１１記載のパケット処理方法。
【請求項１４】
前記第一指示フィールドは、第一連結メッセージのうちＮＡＳメッセージの開始位置を示すことでＮＡＳメッセージの位置情報を示し、前記第二指示フィールドは、第一連結メッセージのうちＲＲＣメッセージの開始位置を示すことでＲＲＣメッセージの位置情報を示すことを特徴とする請求項１３記載のパケット処理方法。
【請求項１５】
前記第一連結メッセージのうち少なくともＲＲＣメッセージの部分に対して暗号化プロセスを実行する段階では、第一連結メッセージのうちＲＲＣメッセージとＮＡＳメッセージを暗号化することを特徴とする請求項１３記載のパケット処理方法。
【請求項１６】
前記第一連結メッセージのうち少なくともＲＲＣメッセージの部分に対して暗号化プロセスを実行する段階では、第一連結メッセージのうちＲＲＣメッセージ、ＮＡＳメッセージ、第一指示フィールド、及び第二指示フィールドを暗号化することを特徴とする請求項１３記載のパケット処理方法。
【請求項１７】
前記ＮＡＳメッセージ、ＲＲＣメッセージ、ヘッダ、第一指示フィールド、及び第二指示フィールドを結合して、第一連結メッセージを形成する段階では、第二指示フィールドをヘッダの後に連結し、ＲＲＣメッセージを第二指示フィールドの後に連結し、第一指示フィールドをＲＲＣメッセージの後に連結し、更にＮＡＳメッセージを第一指示フィールドの後に連結して、第一連結メッセージを形成することを特徴とする請求項１１記載のパケット処理方法。
【請求項１８】
前記第一指示フィールドは、第一連結メッセージのうちＮＡＳメッセージの開始位置を示すことでＮＡＳメッセージの位置情報を示し、前記第二指示フィールドは第一連結メッセージのうちＲＲＣメッセージの終了位置を示すことでＲＲＣメッセージの位置情報を示すことを特徴とする請求項１７記載のパケット処理方法。
【請求項１９】
無線通信システムにおいてパケットを正確に処理する通信装置であって、
通信装置の機能を実現する制御回路と、
制御回路の中に設けられ、プログラムコードを実行して制御回路を制御するＣＰＵと、
制御回路の中にＣＰＵと結合するように設けられ、プログラムコードを記録する記憶装置とを含み、該プログラムコードは、
ＮＡＳメッセージとＲＲＣメッセージを受信するコードと、
上記ＮＡＳメッセージ、ＲＲＣメッセージ、ヘッダ、ＮＡＳメッセージの位置情報を示す第一指示フィールド、及びＲＲＣメッセージの位置情報を示す第二指示フィールドを結合して、第一連結メッセージを形成するコードと、
第一連結メッセージのうち少なくともＲＲＣメッセージの部分に対して暗号化プロセスを実行し、第二連結メッセージを形成するコードと、
第二連結メッセージを出力するコードとを含むことを特徴とする通信装置。
【請求項２０】
前記ＮＡＳメッセージは上位層で別途に暗号化されることを特徴とする請求項１９記載の通信装置。
【請求項２１】
前記ＮＡＳメッセージ、ＲＲＣメッセージ、ヘッダ、第一指示フィールド、及び第二指示フィールドを結合して第一連結メッセージを形成するコードでは、ＮＡＳメッセージをＲＲＣメッセージの前に連結することを特徴とする請求項１９記載の通信装置。
【請求項２２】
前記第一指示フィールドは、第一連結メッセージのうちＮＡＳメッセージの開始位置を示すことでＮＡＳメッセージの位置情報を示し、前記第二指示フィールドは、第一連結メッセージのうちＲＲＣメッセージの開始位置を示すことでＲＲＣメッセージの位置情報を示すことを特徴とする請求項２１記載の通信装置。
【請求項２３】
前記第一連結メッセージのうち少なくともＲＲＣメッセージの部分に対して暗号化プロセスを実行するコードでは、第一連結メッセージのうちＲＲＣメッセージとＮＡＳメッセージを暗号化することを特徴とする請求項２１記載の通信装置。
【請求項２４】
前記第一連結メッセージのうち少なくともＲＲＣメッセージの部分に対して暗号化プロセスを実行するコードでは、第一連結メッセージのうちＲＲＣメッセージ、ＮＡＳメッセージ、第一指示フィールド、及び第二指示フィールドを暗号化することを特徴とする請求項２１記載の通信装置。
【請求項２５】
前記ＮＡＳメッセージ、ＲＲＣメッセージ、ヘッダ、第一指示フィールド、及び第二指示フィールドを結合して、第一連結メッセージを形成するコードでは、第二指示フィールドをヘッダの後に連結し、ＲＲＣメッセージを第二指示フィールドの後に連結し、第一指示フィールドをＲＲＣメッセージの後に連結し、更にＮＡＳメッセージを第一指示フィールドの後に連結して、第一連結メッセージを形成することを特徴とする請求項１９記載の通信装置。
【請求項２６】
前記第一指示フィールドは、第一連結メッセージのうちＮＡＳメッセージの開始位置を示すことでＮＡＳメッセージの位置情報を示し、前記第二指示フィールドは第一連結メッセージのうちＲＲＣメッセージの終了位置を示すことでＲＲＣメッセージの位置情報を示すことを特徴とする請求項２５記載の通信装置。
【発明の詳細な説明】
【技術分野】
【０００１】
本発明は、無線通信システムにおいてパケットを処理する方法及び装置に関し、特に連結メッセージの中のＮＡＳ（ノンアクセスストラタム）メッセージとＲＲＣ（無線資源制御）メッセージの識別基準を提供し、システムの正常動作を確保する方法及び装置に関する。
【背景技術】
【０００２】
第三世代移動通信技術は高スペクトル利用効率、高カバー率、優れた通話品質と高速伝送を実現するとともに、ＱｏＳ（サービス品質）の確保、柔軟性のある双方向通信の実現、通話中断率の低減に大きく寄与する。しかし、高速データ伝送とマルチメディアアプリケーションが発展する中で、第三世代移動通信のスペクトル利用効率と送信速度はもはや市場の要求に対応できなくなっている。それに鑑みて、次世代通信技術の開発が進められ、それにかかる通信プロトコルの改定も行われている。
【０００３】
ＬＴＥ（ｌｏｎｇ  ｔｅｒｍ  ｅｖｏｌｕｔｉｏｎ）無線通信システムは、第三世代移動通信システム（例えばＵＭＴＳ（汎用移動通信システム））をもとに確立されたアドバンスド高速無線通信システムである。ＬＴＥ無線通信システムはパケット交換のみサポートし、そのＲＬＣ（無線リンク制御）層とＭＡＣ（媒体アクセス制御）層は基地局（ノードＢ）とＲＮＣ（無線ネットワークコントローラ）に別々に設けるのでなく、同一のネットワークエンティティー（例えば基地局）に統合されているため、構造が比較的に簡単である。
【０００４】
ＬＴＥ無線通信システムの構成は以下のとおりである。
１．ユーザープレーンのプロトコル構成は下から上まで物理層、ＭＡＣ（媒体アクセス制御）層、ＲＬＣ（無線リンク制御）層、ＰＤＣＰ（パケットデータコンバージェンスプロトコル）層からなる。
２．制御プレーンのプロトコル構成は下から上まで物理層、ＭＡＣ層、ＲＬＣ層、ＲＲＣ層、ＰＤＣＰ層、ＮＡＳ（ノンアクセスストラタム）からなる。
３．ユーザープレーンのデータ暗号化保護はＰＤＣＰ層で行われる。
４．制御プレーンのＲＲＣメッセージ暗号化保護と完全性保護はＲＲＣ層で行われ、ＮＡＳメッセージの暗号化保護と完全性保護はＰＤＣＰ層で行われる。
５．ＮＡＳメッセージはＲＲＣメッセージと連結（ｃｏｎｃａｔｅｎａｔｅ）することができる（連結しなくてもよい）。
６．非連結メッセージにはＲＲＣ層による完全性保護を与えない。
７．連結メッセージのＲＲＣ層による完全性保護の動作方式についてはまだ研究中である。
８．ＲＬＣ層ではプロトコルエラー検出と回復を実行する。
【０００５】
以上のとおり、ＮＡＳメッセージはＲＲＣメッセージと連結することができ（上記６．）、連結メッセージのうち、ＮＡＳメッセージの暗号化保護はＰＤＣＰ層またはその上位層で行われる（上記４．）。したがって、連結メッセージに含まれたＮＡＳメッセージとＲＲＣメッセージを識別するために、連結メッセージに十分な情報を組み込むことが必要である。しかし、連結メッセージのパケット形式はまだ明らかではない。このことは、連結メッセージの処理に大きく影響する。
【発明の開示】
【発明が解決しようとする課題】
【０００６】
本発明は上記従来の問題を解決するため、無線通信システムにおいてパケットを処理する方法及び装置を提供することを課題とする。
【課題を解決するための手段】
【０００７】
本発明の第１の形態は、無線通信システムにおいてパケットを処理する方法を提供する。該方法は、ＮＡＳ（ノンアクセスストラタム）メッセージとＲＲＣ（無線資源制御）メッセージを受信する段階と、上記ＮＡＳメッセージ、ＲＲＣメッセージ、ヘッダ、及びＮＡＳメッセージとＲＲＣメッセージの位置情報を示す指示フィールドを結合して、第一連結メッセージを形成する段階と、第一連結メッセージのヘッダ以外の部分に対して暗号化プロセスを実行し、第二連結メッセージを形成する段階と、第二連結メッセージを出力する段階とを含む。
【０００８】
本発明の第２の形態は、無線通信システムにおいてパケットを正確に処理する通信装置を提供する。該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置とを含む。該プログラムコードは、ＮＡＳメッセージとＲＲＣメッセージを受信するコードと、上記ＮＡＳメッセージ、ＲＲＣメッセージ、ヘッダ、及びＮＡＳメッセージとＲＲＣメッセージの位置情報を示す指示フィールドを結合して、第一連結メッセージを形成するコードと、第一連結メッセージのヘッダ以外の部分に対して暗号化プロセスを実行し、第二連結メッセージを形成するコードと、第二連結メッセージを出力するコードとを含む。
【０００９】
本発明の第３の形態は、無線通信システムにおいてパケットを処理する方法を提供する。該方法は、ＮＡＳメッセージとＲＲＣメッセージを受信する段階と、上記ＮＡＳメッセージ、ＲＲＣメッセージ、ヘッダ、ＮＡＳメッセージの位置情報を示す第一指示フィールド、及びＲＲＣメッセージの位置情報を示す第二指示フィールドを結合して、第一連結メッセージを形成する段階と、第一連結メッセージのうち少なくともＲＲＣメッセージの部分に対して暗号化プロセスを実行し、第二連結メッセージを形成する段階と、第二連結メッセージを出力する段階とを含む。
【００１０】
本発明の第４の形態は、無線通信システムにおいてパケットを正確に処理する通信装置を提供する。該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。該プログラムコードは、ＮＡＳメッセージとＲＲＣメッセージを受信するコードと、上記ＮＡＳメッセージ、ＲＲＣメッセージ、ヘッダ、ＮＡＳメッセージの位置情報を示す第一指示フィールド、及びＲＲＣメッセージの位置情報を示す第二指示フィールドを結合して、第一連結メッセージを形成するコードと、第一連結メッセージのうち少なくともＲＲＣメッセージの部分に対して暗号化プロセスを実行し、第二連結メッセージを形成するコードと、第二連結メッセージを出力するコードとを含む。
【発明の効果】
【００１１】
本発明は、連結メッセージのパケット形式を提供し、連結メッセージの中のＮＡＳメッセージとＲＲＣメッセージを正確に識別することを可能にし、システムの正常動作を確保する。
【発明を実施するための最良の形態】
【００１２】
かかる方法及び装置の特徴を詳述するために、具体的な実施例を挙げ、図を参照にして以下に説明する。
【００１３】
図１を参照する。図１は無線通信システムの無線通信装置１００のブロック図である。該無線通信システムは望ましくはＬＴＥ無線通信システムである。説明を簡素化するため、図１では無線通信装置１００の入力装置１０２、出力装置１０４、制御回路１０６、ＣＰＵ（中央処理装置）１０８、記憶装置１１０、プログラムコード１１２及びトランシーバー１１４のみ描かれている。無線通信装置１００において、制御回路１０６はＣＰＵ１０８を用いて記憶装置１１０に記録されたプログラムコード１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実現するものである。
【００１４】
図２を参照する。図２は図１に示すプログラムコード１１２を表す説明図である。プログラムコード１１２はＮＡＳインターフェイス２００と、第三層インターフェイス２０２と、第二層インターフェイス２０６を備え、第一層インターフェイス２１８と接続されている。ＮＡＳインターフェイス２００ではＮＡＳメッセージを生成してノンアクセスアプリケーションを実行する。第三層インターフェイス２０２は望ましくはＲＲＣ層インターフェイスとＰＤＣＰ層インターフェイスを備え、これで資源制御を実行する。第二層インターフェイス２０６はリンク制御を実行し、第一層インターフェイス２１８は実体接続を実現するものである。
【００１５】
第三層インターフェイス２０２において、ＮＡＳインターフェイス２００で生成されたＮＡＳメッセージはＲＲＣ層インターフェイスで生成されたＲＲＣメッセージと連結することができ、連結メッセージのうち、ＮＡＳメッセージの暗号化保護はＰＤＣＰ層またはその上位層で行われる。それに鑑みて、本実施例は、パケット形成プログラムコード２２０を提供し、連結メッセージに含まれたＮＡＳメッセージとＲＲＣメッセージを識別するために連結メッセージに十分な情報を持たせる。
【実施例１】
【００１６】
図３を参照する。図３は実施例１による方法３０のフローチャートである。下記方法３０は無線通信システムにおいて連結メッセージを正確に形成するために用いられ、パケット形成プログラムコード２２０としてコンパイルすることができる。
【００１７】
ステップ３００：開始。
ステップ３０２：ＮＡＳメッセージとＲＲＣメッセージを受信する。
ステップ３０４：上記ＮＡＳメッセージ、ＲＲＣメッセージ、ヘッダ、及びＮＡＳメッセージとＲＲＣメッセージの位置情報を示す指示フィールドを結合して、第一連結メッセージを形成する。
ステップ３０６：第一連結メッセージのヘッダ以外の部分に対して暗号化プロセスを実行し、第二連結メッセージを形成する。
ステップ３０８：第二連結メッセージを出力する。
ステップ３１０：終了。
【００１８】
以上のとおり、ＮＡＳメッセージとＲＲＣメッセージからなる連結メッセージを形成するとき、本実施例ではヘッダを添付する以外、ＮＡＳメッセージとＲＲＣメッセージの位置情報を示す指示フィールドを形成し、更にヘッダ以外の部分、すなわちＮＡＳメッセージ、ＲＲＣメッセージ、及び指示フィールドを暗号化する。したがって、本実施例では、連結メッセージはＮＡＳメッセージとＲＲＣメッセージを識別するための情報を含むため、受信端でＮＡＳメッセージとＲＲＣメッセージの位置情報を正確に判断することができる。
【００１９】
以上のとおり、本実施例では指示フィールドでＮＡＳメッセージとＲＲＣメッセージの位置情報を示し、受信端で連結メッセージの中のＮＡＳメッセージとＲＲＣメッセージの位置情報を正確に判断することを可能にする。注意すべきは、本実施例による指示フィールドはＮＡＳメッセージとＲＲＣメッセージの位置情報を示すものであり、当業者はその需要に従って指示フィールドの位置、形式、大きさを定めることができる。
【００２０】
例えば図４を参照する。図４は図３に示す方法３０で連結メッセージを形成することを表す説明図である。図４に示すように、本実施例ではＲＲＣメッセージ４００とＮＡＳメッセージ４０２を受信した後に、ＲＲＣメッセージ４００をＮＡＳメッセージ４０２の前に連結する。更に、ＲＲＣメッセージ４００の前にヘッダ４０４を添付し、ＲＲＣメッセージ４００とＮＡＳメッセージ４０２の間に指示フィールド４０６を添付して、第一連結メッセージ４１０を形成することが望ましい。望ましくは、指示フィールド４０６は第一連結メッセージ４１０のうちＮＡＳメッセージ４０２の開始位置、または第一連結メッセージ４１０のうちＲＲＣメッセージ４００の終了位置を示す。
【００２１】
また、図４に示すようにＲＲＣメッセージ４００の後に連結するのでなく、指示フィールド４０６をＲＲＣメッセージ４００の前に連結しても可能である。その後、ＲＲＣメッセージ４００、指示フィールド４０６、及びＮＡＳメッセージ４０２を暗号化して暗号化データ４０８にし、第二連結メッセージ４１２を形成して受信端に出力する。受信端で第二連結メッセージ４１２を受信した後、暗号化データ４０８をＲＲＣメッセージ４００、指示フィールド４０６、及びＮＡＳメッセージ４０２に復号し、更に指示フィールド４０６の情報でＮＡＳメッセージ４０２とＲＲＣメッセージ４００の位置を判断し、本来のＮＡＳメッセージ４０２とＲＲＣメッセージ４００に還元する。
【実施例２】
【００２２】
図４に示すように、実施例１では第一連結メッセージ４１０のヘッダ４０４以外の部分を暗号化して第二連結メッセージ４１２にする。しかし、ＮＡＳメッセージ４０２は上位層で別途に暗号化されるので、実施例１の方法ではＮＡＳメッセージ４０２は２回以上暗号化される。それに鑑みて、実施例２を提供し、暗号化すべきデータ量を減少する。
【００２３】
図５を参照する。図５は実施例２による方法５０のフローチャートである。下記方法５０は無線通信システムにおいて連結メッセージを正確に形成するために用いられ、パケット形成プログラムコード２２０としてコンパイルすることができる。
【００２４】
ステップ５００：開始。
ステップ５０２：ＮＡＳメッセージとＲＲＣメッセージを受信する。
ステップ５０４：上記ＮＡＳメッセージ、ＲＲＣメッセージ、ヘッダ、ＮＡＳメッセージの位置情報を示す第一指示フィールド、及びＲＲＣメッセージの位置情報を示す第二指示フィールドを結合して、第一連結メッセージを形成する。
ステップ５０６：第一連結メッセージのうち少なくともＲＲＣメッセージの部分に対して暗号化プロセスを実行し、第二連結メッセージを形成する。
ステップ５０８：第二連結メッセージを出力する。
ステップ５１０：終了。
以上のとおり、ＮＡＳメッセージとＲＲＣメッセージからなる連結メッセージを形成するとき、本実施例ではヘッダを添付する以外、ＮＡＳメッセージの位置情報を示す第一指示フィールドと、ＲＲＣメッセージの位置情報を示す第二指示フィールドを形成し、更に第一連結メッセージのうち少なくともＲＲＣメッセージの部分を暗号化する。すなわち、ＲＲＣメッセージのみ暗号化すればよい。したがって、本実施例では、連結メッセージはＮＡＳメッセージとＲＲＣメッセージを識別するための情報を含み、ＲＲＣメッセージのみ暗号化されるため、受信端でＮＡＳメッセージとＲＲＣメッセージの位置情報を正確に判断し、暗号化・復号化動作の複雑性を低減させることができる。
【００２５】
以上のとおり、本実施例では第一指示フィールドと第二指示フィールドでＮＡＳメッセージとＲＲＣメッセージの位置情報をそれぞれ示し、受信端で連結メッセージの中のＮＡＳメッセージとＲＲＣメッセージの位置情報を正確に判断することを可能にする。注意すべきは、本実施例による第一指示フィールドと第二指示フィールドはＮＡＳメッセージとＲＲＣメッセージの位置情報をそれぞれ示すものであり、当業者はその需要に従って第一指示フィールドと第二指示フィールドの位置、形式、大きさを定めることができる。
【００２６】
例えば図６を参照する。図６は、図５に示す方法５０で連結メッセージを形成する第一の実施例を表す説明図である。図６に示すように、本実施例ではＲＲＣメッセージ６００とＮＡＳメッセージ６０２を受信した後に、ＲＲＣメッセージ６００をＮＡＳメッセージ６０２の後に連結する。更に、ヘッダ６０４、第二指示フィールド６０８、及び第一指示フィールド６０６をＮＡＳメッセージ６０２とＲＲＣメッセージ６００の前に添付して、第一連結メッセージ６１２を形成することが望ましい。望ましくは、第一指示フィールド６０６は第一連結メッセージ６１２のうちＮＡＳメッセージ６０２の開始位置を示し、第二指示フィールド６０８は第一連結メッセージ６１２のうちＲＲＣメッセージ６００の開始位置を示す。その後、ＲＲＣメッセージ６００のみ暗号化して暗号化データ６１０にし、第二連結メッセージ６１４を形成して受信端に出力する。受信端で第二連結メッセージ６１４を受信した後、暗号化データ６１０をＲＲＣメッセージ６００に復号し、更に第一指示フィールド６０６と第二指示フィールド６０８の情報で、ＮＡＳメッセージ６０２とＲＲＣメッセージ６００の位置を判断し、本来のＮＡＳメッセージ６０２とＲＲＣメッセージ６００に還元する。
【００２７】
図６に示すように、ＮＡＳメッセージ６０２は上位層で既に暗号化されており、上記方法５０でＮＡＳメッセージ６０２の再暗号化を省くことができる。したがって、本実施例では暗号化処理のデータ量を減少することができる。もっとも、ＲＲＣメッセージ６００を暗号化する以外、更にＮＡＳメッセージ６０２、または第一指示フィールド６０６と第二指示フィールド６０８を暗号化することもできる。
【００２８】
図６に示す連結メッセージの形成は前記方法５０の一実施例に過ぎず、他の実施例として図７を参照する。図７は図５に示す方法５０で連結メッセージを形成する第二の実施例を表す説明図である。図７に示すように、本実施例ではＲＲＣメッセージ７００とＮＡＳメッセージ７０２を受信した後に、ヘッダ７０４と第二指示フィールド７０８をＲＲＣメッセージ７００の前に添付し、第一指示フィールド７０６をＮＡＳメッセージの前に添付して、第一連結メッセージ７１２を形成する。望ましくは、第一指示フィールド７０６は第一連結メッセージ７１２のうちＮＡＳメッセージ７０２の開始位置を示し、第二指示フィールド７０８は第一連結メッセージ７１２のうちＲＲＣメッセージ７００の開始位置を示す。その後、ＲＲＣメッセージ７００のみ暗号化して暗号化データ７１０にし、第二連結メッセージ７１４を形成して受信端に出力する。受信端で第二連結メッセージ７１４を受信した後、暗号化データ７１０をＲＲＣメッセージ７００に復号し、更に第一指示フィールド７０６と第二指示フィールド７０８の情報で、ＮＡＳメッセージ７０２とＲＲＣメッセージ７００の位置を判断し、本来のＮＡＳメッセージ７０２とＲＲＣメッセージ７００に還元する。
【００２９】
図６と図７は、いずれも方法５０の実施例に過ぎず、当業者がなしうる変更はいずれも本発明の範囲に属する。注意すべきは、ＮＡＳメッセージは上位層で既に暗号化されているため、実施例２ではＮＡＳメッセージを再暗号化する必要がない。もっとも、ＮＡＳメッセージ６０２、または第一指示フィールド６０６と第二指示フィールド６０８を暗号化することもできる。
【００３０】
したがって、実施例２では、連結メッセージはＮＡＳメッセージとＲＲＣメッセージを識別するための情報を含み、ＲＲＣメッセージのみ暗号化されるため、受信端でＮＡＳメッセージとＲＲＣメッセージの位置情報を正確に判断し、暗号化・復号化動作の複雑性を低減させることができる。
【００３１】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００３２】
本発明は従来の動作条件を変更したのみであり、実施可能である。
【図面の簡単な説明】
【００３３】
【図１】本発明による無線通信装置のブロック図である。
【図２】図１に示すプログラムコードを表す説明図である。
【図３】本発明の実施例１による方法のフローチャートである。
【図４】図３に示す方法で連結メッセージを形成することを表す説明図である。
【図５】本発明の実施例２による方法のフローチャートである。
【図６】図５に示す方法で連結メッセージを形成する第一の実施例を表す説明図である。
【図７】図５に示す方法で連結メッセージを形成する第二の実施例を表す説明図である。
【符号の説明】
【００３４】
１００  無線通信装置
１０２  入力装置
１０４  出力装置
１０６  制御回路
１０８  ＣＰＵ
１１０  記憶装置
１１２  プログラムコード
１１４  トランシーバー
２００  ＮＡＳインターフェイス
２０２  第三層インターフェイス
２０６  第二層インターフェイス
２１８  第一層インターフェイス
２２０  パケット形成プログラムコード
４００、６００、７００  ＲＲＣメッセージ
４０２、６０２、７０２  ＮＡＳメッセージ
４０４、６０４、７０４  ヘッダ
４０６  指示フィールド
６０６、７０６  第一指示フィールド
６０８、７０８  第二指示フィールド
４０８、６１０、７１０  暗号化データ
４１０、６１２、７１２  第一連結メッセージ
４１２、６１４、７１４  第二連結メッセージ
【図１】
2008187719.tif 000003
【図２】
2008187719.tif 000004
【図３】
2008187719.tif 000005
【図４】
2008187719.tif 000006
【図５】
2008187719.tif 000007
【図６】
2008187719.tif 000008
【図７】
2008187719.tif 000009